(57)【要約】      （修正有）【課題】ターレット型のウェブ搬送装置であって、ウェブの巻き軸の切り換えの際にガイドロールがウェブに接触することで生じ得るウェブの傷を極めて容易に抑制するウェブ搬送装置を提供する。【解決手段】ウェブ搬送装置１は、支柱１０に回転可能に支持される回転軸１１と、回転軸１１から径方向外側に延び且つ先端部に巻き軸２２を有し、回転軸１１の周方向に互いに離れて配置される複数の軸支持アーム２０と、回転軸１１から径方向外側に延び且つ先端部に回転可能に支持されるガイドロール３２を有し、少なくとも一組の隣り合う軸支持アーム２０の間に配置されるガイドロール支持アーム３０と、を備える。ガイドロール３２は、ガイドロール支持アーム３０に回転可能に支持される円柱状のロール本体３４と、ロール本体３４の外周面に設けられる凸状又は凹状の複数の気流受け部と、を有する。【選択図】図１
2017193402.tif 000002
【特許請求の範囲】
【請求項１】
支柱に回転可能に支持される回転軸と、
前記回転軸から径方向外側に延び且つその先端部に巻き軸を有し、前記回転軸の周方向に互いに離れて配置される複数の軸支持アームと、
前記回転軸から径方向外側に延び且つその先端部に回転可能に支持されるガイドロールを有し、少なくとも一組の隣り合う前記軸支持アームの間に少なくとも一つ配置されるガイドロール支持アームと、を備え、
前記ガイドロールは、前記ガイドロール支持アームに回転可能に支持される円柱状のロール本体と、前記ロール本体の外周面に設けられる凸状又は凹状の複数の気流受け部と、を有する、ことを特徴とするウェブ搬送装置。
【請求項２】
前記気流受け部に気体を噴射する気体供給部をさらに備えている、ことを特徴とする請求項１に記載のウェブ搬送装置。
【請求項３】
前記ロール本体の回転速度を検出する回転速度検出部と、
前記回転速度検出部が検出する回転速度に応じて、前記気体供給部の気体の噴射及び遮断を切り換える噴射制御部と、をさらに備えている、ことを特徴とする請求項２に記載のウェブ搬送装置。
【請求項４】
前記巻き軸によって巻取られるウェブの速度、又は、前記巻き軸に保持されたロール状の巻出し用のウェブから巻出されるウェブの速度を検出するウェブ速度検出部をさらに備え、
前記噴射制御部は、前記ウェブ速度検出部が検出するウェブの速度と、前記回転速度検出部が検出する回転速度とが一致するように、前記気体供給部の気体の噴射及び遮断を切り換える、請求項３に記載のウェブ搬送装置。
【請求項５】
前記ロール本体の回転速度を検出する回転速度検出部と、
前記回転速度検出部が検出する回転速度に応じて、前記気体供給部の気体の噴射量を調節する噴射制御部と、をさらに備えている、ことを特徴とする請求項２に記載のウェブ搬送装置。
【請求項６】
前記巻き軸によって巻取られるウェブの速度、又は、前記巻き軸に保持されたロール状の巻出し用のウェブから巻出されるウェブの速度を検出するウェブ速度検出部をさらに備え、
前記噴射制御部は、前記ウェブ速度検出部が検出するウェブの速度と、前記回転速度検出部が検出する回転速度とが一致するように、前記気体供給部の気体の噴射量を調節する、請求項５に記載のウェブ搬送装置。
【請求項７】
前記気流受け部は、前記ロール本体の径方向の外側に向けて凸状となる羽根状部材であり、前記ロール本体の周方向に間隔を空けて並んでいる、ことを特徴とする請求項１乃至６のいずれかに記載のウェブ搬送装置。
【請求項８】
支柱に回転可能に支持される回転軸と、前記回転軸から径方向外側に延び且つその先端部に巻き軸を有し、前記回転軸の周方向に互いに離れて配置される複数の軸支持アームと、前記回転軸から径方向外側に延び且つその先端部に回転可能に支持されるガイドロールを有し、少なくとも一組の隣り合う前記軸支持アームの間に少なくとも一つ配置されるガイドロール支持アームと、を備える、ウェブ搬送装置のガイドロールであって、
前記ガイドロール支持アームに回転可能に支持される円柱状のロール本体と、
前記ロール本体の外周面に設けられる凸状又は凹状の複数の気流受け部と、を有する、ことを特徴とするウェブ搬送装置のガイドロール。
【請求項９】
支柱に回転可能に支持される回転軸と、前記回転軸から径方向外側に延び且つその先端部に巻き軸を有し、前記回転軸の周方向に互いに離れて配置される複数の軸支持アームと、前記回転軸から径方向外側に延び且つその先端部に回転可能に支持されるガイドロールを有し、少なくとも一組の隣り合う前記軸支持アームの間に少なくとも一つ配置されるガイドロール支持アームと、を備える、ウェブ搬送装置によるウェブ搬送方法であって、
前記ガイドロール支持アームに回転可能に支持される前記ガイドロールの円柱状のロール本体の外周面に、凸状又は凹状の複数の気流受け部を設ける工程と、
複数の前記軸支持アームのうちの一つの前記軸支持アームの前記巻き軸を用いて、ウェブを巻取る、又は、ロール状の巻出し用のウェブを保持してウェブを巻出す工程と、
前記回転軸の回転によって、ウェブを巻取り中又は巻出し中の前記軸支持アームとこれに隣り合う前記軸支持アームとの間の前記ガイドロール支持アームにおける前記ガイドロールの前記ロール本体に、ウェブを巻取り中の前記軸支持アームの前記巻き軸に向けて搬送される又はウェブを巻出し中の前記軸支持アームの前記巻き軸から搬送されるウェブを接触させる工程と、
前記ロール本体にウェブを接触させた後の前記回転軸のさらなる回転によって、ウェブを巻取り中又は巻出し中の前記軸支持アームに隣り合う前記軸支持アームの巻き軸に、ウェブを巻取り中の前記軸支持アームの前記巻き軸に向けて搬送される又はウェブを巻出し中の前記軸支持アームの前記巻き軸から搬送されるウェブを接触させる工程と、を備え、
前記ロール本体にウェブを接触させる際、前記気流受け部に気体を噴射して前記ロール本体を回転させ、その後、前記ロール本体にウェブを接触させる、ことを特徴とするウェブ搬送方法。
【発明の詳細な説明】
【技術分野】
【０００１】
本発明は、紙やフィルム等のウェブを巻取る又は巻出すためのウェブ搬送装置、そのガイドロール及びウェブ搬送方法に関する。
【背景技術】
【０００２】
支柱に回転可能に支持される回転軸と、回転軸から径方向外側に延び且つ先端部に巻き軸を有し、回転軸の周方向に互いに離れて配置される複数の軸支持アームと、回転軸から径方向外側に延び且つ先端部に回転可能に支持されるガイドロールを有し、少なくとも一組の隣り合う軸支持アームの間に配置される一つ又は複数のガイドロール支持アームと、を備えるターレット型のウェブ搬送装置が知られている。
【０００３】
このようなウェブ搬送装置では、上述の巻き軸が、ウェブを巻取るため又は巻出し用のロール状のウェブを保持するために用いられる。例えば巻き軸がウェブを巻取るための軸である場合、ウェブ搬送装置は、隣り合う軸支持アームのうちの一方の巻き軸にウェブが所定量だけ巻取られた際に、回転軸を回転させることで、他方の軸支持アームの巻き軸にウェブを巻取ることが可能な状態に移行する。このように回転軸を回転させる際に、ガイドロールが回転軸の径方向外側においてウェブに接触することで、ウェブが回転軸に接触することが防止される。ここで、ガイドロールはウェブに接した際に回転する。これにより、ウェブとガイドロールとの間の摩擦が緩和され、ウェブに傷が生じることが抑制される。
【０００４】
従来、この種のウェブ搬送装置では、通常、ガイドロールとして、単にアーム先端部に回転可能に支持されるフリーロールが使用されていた。しかしながら、この構成では、ガイドロールとウェブとが接触する際に速度差が生じ、ウェブに生じ得る傷が十分に抑制できないという問題があった。このような問題に対して、例えば特許文献１及び特許文献２には、ガイドロールとウェブとの速度差を抑制する技術が提案されている。
【０００５】
特許文献１及び特許文献２に開示されたウェブ搬送装置では、ガイドロールをウェブとの接触の前に予め回転させ、その後、ウェブと接触させることにより、これらの間の速度差を抑制することができる。ガイドロールを回転させる手法としては、駆動ロールやテンデンシーロールをガイドロールとして用いることが開示されている。また、ウェブとの接触後にガイドロールの駆動を解除するためのクラッチ機構を駆動ロールに設けることも開示されている。
【先行技術文献】
【特許文献】
【０００６】
【特許文献１】特開昭６３−２５２８５７号公報
【特許文献２】特許第５７３４２２２号公報
【発明の概要】
【発明が解決しようとする課題】
【０００７】
しかしながら、特許文献１及び特許文献２にかかるウェブ搬送装置のようにガイドロールとして駆動ロールやテンデンシーロールを用いる場合、フリーロールが採用される一般的なウェブ搬送装置に比較して、装置構成が煩雑で且つ導入時のコストが大幅に嵩む。また、これら特許文献１及び特許文献２にかかる技術は、導入済みのウェブ搬送装置においてガイドロールを駆動ロール又はテンデンシーロールに交換することで利用可能であるが、この場合も、交換作業及びコストが非常に大きい負担となる。
【０００８】
本発明は、上記実情を考慮してなされたものであり、ターレット型のウェブ搬送装置であって、ウェブの巻取りのための巻き軸の切り換えの際又はウェブの巻出しのための巻き軸の切り換えの際にガイドロールがウェブに接触することで生じ得るウェブの傷を極めて容易に抑制することができるウェブ搬送装置、そのガイドロール及びウェブ搬送方法を提供することを目的とする。
【課題を解決するための手段】
【０００９】
本発明によるウェブ搬送装置は、支柱に回転可能に支持される回転軸と、前記回転軸から径方向外側に延び且つその先端部に巻き軸を有し、前記回転軸の周方向に互いに離れて配置される複数の軸支持アームと、前記回転軸から径方向外側に延び且つその先端部に回転可能に支持されるガイドロールを有し、少なくとも一組の隣り合う前記軸支持アームの間に少なくとも一つ配置されるガイドロール支持アームと、を備え、前記ガイドロールは、前記ガイドロール支持アームに回転可能に支持される円柱状のロール本体と、前記ロール本体の外周面に設けられる凸状又は凹状の複数の気流受け部と、を有する、ことを特徴とする。
【００１０】
本発明によるウェブ搬送装置は、前記気流受け部に気体を噴射する気体供給部をさらに備えていてもよい。
【００１１】
本発明によるウェブ搬送装置は、前記ロール本体の回転速度を検出する回転速度検出部と、前記回転速度検出部が検出する回転速度に応じて、前記気体供給部の気体の噴射及び遮断を切り換える噴射制御部と、をさらに備えていてもよい。
【００１２】
本発明によるウェブ搬送装置は、前記巻き軸によって巻取られるウェブの速度、又は、前記巻き軸に保持されたロール状の巻出し用のウェブから巻出されるウェブの速度を検出するウェブ速度検出部をさらに備え、前記噴射制御部は、前記ウェブ速度検出部が検出するウェブの速度と、前記回転速度検出部が検出する回転速度とが一致するように、前記気体供給部の気体の噴射及び遮断を切り換えるようになっていてもよい。
【００１３】
本発明によるウェブ搬送装置は、前記ロール本体の回転速度を検出する回転速度検出部と、前記回転速度検出部が検出する回転速度に応じて、前記気体供給部の気体の噴射量を調節する噴射制御部と、をさらに備えていてもよい。
【００１４】
本発明によるウェブ搬送装置は、前記巻き軸によって巻取られるウェブの速度、又は、前記巻き軸に保持されたロール状の巻出し用のウェブから巻出されるウェブの速度を検出するウェブ速度検出部をさらに備え、前記噴射制御部は、前記ウェブ速度検出部が検出するウェブの速度と、前記回転速度検出部が検出する回転速度とが一致するように、前記気体供給部の気体の噴射量を調節するようになっていてもよい。
【００１５】
前記気流受け部は、前記ロール本体の径方向の外側に向けて凸状となる羽根状部材であり、前記ロール本体の周方向に間隔を空けて並んでいてもよい。
【００１６】
本発明によるガイドロールは、支柱に回転可能に支持される回転軸と、前記回転軸から径方向外側に延び且つその先端部に巻き軸を有し、前記回転軸の周方向に互いに離れて配置される複数の軸支持アームと、前記回転軸から径方向外側に延び且つその先端部に回転可能に支持されるガイドロールを有し、少なくとも一組の隣り合う前記軸支持アームの間に少なくとも一つ配置されるガイドロール支持アームと、を備える、ウェブ搬送装置のガイドロールであって、前記ガイドロール支持アームに回転可能に支持される円柱状のロール本体と、前記ロール本体の外周面に設けられる凸状又は凹状の複数の気流受け部と、を有する、ことを特徴とする。
【００１７】
本発明によるウェブ搬送方法は、支柱に回転可能に支持される回転軸と、前記回転軸から径方向外側に延び且つその先端部に巻き軸を有し、前記回転軸の周方向に互いに離れて配置される複数の軸支持アームと、前記回転軸から径方向外側に延び且つその先端部に回転可能に支持されるガイドロールを有し、少なくとも一組の隣り合う前記軸支持アームの間に少なくとも一つ配置されるガイドロール支持アームと、を備える、ウェブ搬送装置によるウェブ搬送方法であって、
前記ガイドロール支持アームに回転可能に支持される前記ガイドロールの円柱状のロール本体の外周面に、凸状又は凹状の複数の気流受け部を設ける工程と、
複数の前記軸支持アームのうちの一つの前記軸支持アームの前記巻き軸を用いて、ウェブを巻取る、又は、ロール状の巻出し用のウェブを保持してウェブを巻出す工程と、
前記回転軸の回転によって、ウェブを巻取り中又は巻出し中の前記軸支持アームとこれに隣り合う前記軸支持アームとの間の前記ガイドロール支持アームにおける前記ガイドロールの前記ロール本体に、ウェブを巻取り中の前記軸支持アームの前記巻き軸に向けて搬送される又はウェブを巻出し中の前記軸支持アームの前記巻き軸から搬送されるウェブを接触させる工程と、
前記ロール本体にウェブを接触させた後の前記回転軸のさらなる回転によって、ウェブを巻取り中又は巻出し中の前記軸支持アームに隣り合う前記軸支持アームの巻き軸に、ウェブを巻取り中の前記軸支持アームの前記巻き軸に向けて搬送される又はウェブを巻出し中の前記軸支持アームの前記巻き軸から搬送されるウェブを接触させる工程と、を備え、
前記ロール本体にウェブを接触させる際、前記気流受け部に気体を噴射して前記ロール本体を回転させ、その後、前記ロール本体にウェブを接触させる、ことを特徴とする。
【発明の効果】
【００１８】
本発明によれば、ウェブの巻取りのための巻き軸の切り換えの際又はウェブの巻出しのための巻き軸の切り換えの際にガイドロールがウェブに接触することで生じ得るウェブの傷を極めて容易に抑制することができる。
【図面の簡単な説明】
【００１９】
【図１】本発明の第１の実施の形態にかかるウェブ搬送装置の側面図である。
【図２】図１に示すウェブ搬送装置に設けられるガイドロール、気体供給部及び回転速度検出部の概略の斜視図である。
【図３】図１に示すウェブ搬送装置に設けられるガイドロールをその軸方向に沿って見た図である。
【図４】（Ａ）〜（Ｄ）は、図１に示すウェブ搬送装置によるウェブ搬送方法の一例を説明する図である。
【図５】本発明の第２の実施の形態にかかるウェブ搬送装置に設けられるガイドロール及び気体供給部の概略の斜視図である。
【図６】本発明の第３の実施の形態にかかるウェブ搬送装置に設けられるガイドロールをその軸方向に沿って見た図である。
【発明を実施するための形態】
【００２０】
以下、図面を参照しながら本発明の各実施の形態について説明する。
【００２１】
（第１の実施の形態）
図１に示す本実施の形態にかかるウェブ搬送装置１は、支柱１０に回転可能に支持される回転軸１１と、回転軸１１に設けられ当該回転軸１１と一体に回転可能な軸支持アーム２０及びガイドロール支持アーム３０と、を備えている。軸支持アーム２０は、回転軸１１に複数設けられ、各軸支持アーム２０は、回転軸１１から当該回転軸１１の径方向外側に延び且つその先端部に巻き軸２２を有する。複数の軸支持アーム２０は、回転軸１１の周方向に互いに離れて配置されている。またガイドロール支持アーム３０は、回転軸１１から当該回転軸１１の径方向外側に延び且つその先端部に回転可能に支持されるガイドロール３２を有し、少なくとも一組の隣り合う軸支持アーム２０の間に配置されている。
【００２２】
支柱１０は、設置面から上方に立ち上がり、その上部で回転軸１１を回転可能に支持している。回転軸１１は、図示省略する駆動モータにより駆動されることで、その中心軸線を中心に回転することが可能となっている。本実施の形態では、軸支持アーム２０が二つ設けられ、二つの軸支持アーム２０のうちの一方の軸支持アーム２０と他方の軸支持アーム２０とは、回転軸１１から互いに反対の方向に延びている。同様に、ガイドロール支持アーム３０も二つ設けられ、二つのガイドロール支持アーム３０のうちの一方のガイドロール支持アーム３０と他方のガイドロール支持アーム３０とは、回転軸１１から互いに反対の方向に延びている。本実施の形態において、軸支持アーム２０とガイドロール支持アーム３０とは、回転軸１１の周方向に９０度の間隔を空けて交互に配置されている。
【００２３】
各軸支持アーム２０は、詳細は図示しないが、巻き軸２２の軸方向の一端部を支持するアーム部と軸方向の他端部を支持するアーム部とで構成されている。同様に、各ガイドロール支持アーム３０は、ガイドロール３２の軸方向の一端部を支持するアーム部と軸方向の他端部を支持するアーム部とで構成されている。図１においては、説明の便宜のために、各軸支持アーム２０の一方のアーム部及び各ガイドロール支持アーム３０の一方のアーム部のみが図示されている。ここで、以下の説明では、説明の便宜のために、二つの軸支持アーム２０のうちの、一方の軸支持アーム２０の巻き軸２２のことを巻き軸２２Ａと記し、他方の軸支持アーム２０の巻き軸２２のことを巻き軸２２Ｂと記す。
【００２４】
回転軸１１、巻き軸２２Ａ，２２Ｂ及びガイドロール３２は、互いに平行に延びている。本実施の形態において、巻き軸２２Ａ，２２Ｂは、ウェブＷを巻取るために用いられる。この場合、巻き軸２２Ａ，２２Ｂは、図示省略する駆動モータにより駆動されることで、その中心軸線を中心に回転することが可能な構成とされる。図１においては、回転軸１１に対して横方向の一方側に設定される巻取り位置Ｐ１で、一方の軸支持アーム２０の巻き軸２２Ａを回転させることにより、当該巻き軸２２ＡにウェブＷが連続的に巻取られている状態が示されている。これに対して、図１に示す他方の軸支持アーム２０の巻き軸２２Ｂは、回転軸１１に対して横方向の他方側に位置して、ウェブＷに結合されず且つ回転駆動もされていない。
【００２５】
他方の軸支持アーム２０の巻き軸２２Ｂは、一方の軸支持アーム２０の巻き軸２２ＡにウェブＷが所定量巻取られた際に、回転軸１１の回転によって、巻取り位置Ｐ１まで移動される。この際、他方の軸支持アーム２０の巻き軸２２Ｂが、ウェブＷに接触し、その後、ウェブＷと結合され且つ一方の軸支持アーム２０の巻き軸２２ＡとウェブＷとの結合状態が解除されることにより、新たな巻き軸としての他方の軸支持アーム２０の巻き軸２２ＢにウェブＷを巻取ることが可能となる。この際、他方の軸支持アーム２０の巻き軸２２Ｂが巻取り位置Ｐ１まで移動される途中に、ガイドロール支持アーム３０のガイドロール３２が、ウェブＷに接触することにより、ウェブＷと回転軸１１との接触が防止されるようになっている。
【００２６】
図２及び図３に示すように、ガイドロール３２は、ガイドロール支持アーム３０に回転可能に支持される円柱状のロール本体３４と、ロール本体３４の外周面に設けられる凸状の複数の気流受け部３６と、を有する。ロール本体３４は、ウェブＷに接触する領域を含む円柱状のメインロール部３５Ａと、メインロール部３５Ａの軸方向の両端に設けられた一対の軸部３５Ｂと、を含んでいる。図示の例において、メインロール部３５Ａは、軸部３５Ｂよりも大径となっている。なお、上述した円柱状は、中空の円柱状及び中実の円柱状の両方を含む概念の用語として定義する。
【００２７】
ロール本体３４は、一対の軸部３５Ｂを、ガイドロール支持アーム３０の先端部に設けられた図示省略する軸受、詳しくはガイドロール支持アーム３０を構成する各アーム部の先端部の各々に設けられた軸受に挿入することにより、ガイドロール支持アーム３０の先端部に回転可能に支持される。本実施の形態におけるガイドロール３２は、軸部３５Ｂを軸受に挿入するのみで回転可能に支持される、いわゆるフリーロールとなっている。そのため、ガイドロール３２は、駆動モータにカップリングされる構造やテンデンシーロールとしての構造を有していない。
【００２８】
図２に示すように、メインロール部３５Ａは、回転軸１１の回転時にウェブＷと接触する接触領域３５Ａ１と、接触領域３５Ａ１の軸方向両端に連なる一対の端部領域３５Ａ２と、を含んでいる。このうち、一対の端部領域３５Ａ２のうちの一方の端部領域３５Ａ２に、気流受け部３６が設けられている。
【００２９】
気流受け部３６は、気体、具体的には空気を受けることで、ロール本体３４すなわちガイドロール３２の全体を回転させるために設けられている。本実施の形態において、気流受け部３６は、ロール本体３４の径方向の外側に向けて凸状となる羽根状部材であり、一方の端部領域３５Ａ２においてロール本体３４の周方向に一定の間隔を空けて並んでいる。より詳しくは、図３に示すように、気流受け部３６は、ロール本体３４の軸方向に見た場合に、ロール本体３４の外周面からロール本体３４の径方向に沿って直線状に外側に延びている。
【００３０】
気流受け部３６は、ロール本体３４の外周面に、溶接、接着剤等によって固定されてもよいし、環状の治具に固定され、この治具がロール本体３４の外周面に挿入されることにより、ロール本体３４の外周面に設けられてもよい。また気流受け部３６は、軸部３５Ｂに設けられてもよいが、図示の例では、気流受け部３６が軸部３５Ｂよりも大径のロール本体３４に設けられていることで、軸部３５Ｂに設けられる場合に比較して、空気を受けた際にロール本体３４を回転させ易くなる。ロール本体３４を回転させ易くするためには、極力大径の箇所に気流受け部３６を設けることが望ましい。
【００３１】
このような気流受け部３６は、ウェブ搬送装置１に備えられた気体供給部４０から空気を噴射されて回転するようになっている。図１に示すように、本実施の形態における気体供給部４０は、回転軸１１の上方であって、回転軸１１の回転時に軸支持アーム２０、これに支持されるロール状のウェブＷ及びガイドロール支持アーム３０と接触しないように、これらの最外端が回転時に描く最大の回転軌跡の外側に配置されている。本実施の形態では、気体供給部４０が、例えばフレームや天井等に固定されており、回転軸１１、軸支持アーム２０及びガイドロール支持アーム３０と別体となっているが、気流受け部３６に対して空気を噴射してロール本体３４を回転させることが可能であれば、回転軸１１、軸支持アーム２０及びガイドロール支持アーム３０と一体化されていてもよい。
【００３２】
図２及び図３に示すように、気体供給部４０は、空気を噴射する噴射ノズル４１と、噴射ノズル４１に空気源からの空気を供給する配管４２と、配管４２から噴射ノズル４１への空気の供給及び遮断を切り換える制御弁４３と、配管４２から噴射ノズル４１に供給される空気量を計測する流量計４４と、を有する。図１に示すように、本実施の形態では、噴射ノズル４１が、空気の噴射方向を下方に向けた状態で配置される。詳しくは、図３に示すように、噴射ノズル４１は、巻取り位置Ｐ１に軸支持アーム２０の巻き軸２２Ａ又は巻き軸２２Ｂが位置する際に回転軸１１の上方に位置するガイドロール３２の横方向の一方側で且つ上方であって、噴射ノズル４１の噴射方向に沿って見た場合に気流受け部３６と重なる位置に、配置されている。この場合、噴射ノズル４１から空気が噴射されると、巻取り位置Ｐ１に軸支持アーム２０の巻き軸２２Ａ又は巻き軸２２Ｂが位置する際に回転軸１１の上方に位置するガイドロール３２のロール本体３４が、紙面時計回りの方向に回転するようになる。
【００３３】
また本実施の形態では、制御弁４３が配管４２から噴射ノズル４１への空気の供給及び遮断を切り換え、これにより、気体供給部４０すなわち噴射ノズル４１の空気の噴射及び遮断が切り換えられる。このように空気の噴射及び遮断のみを切り換える構成である場合、すなわち噴射時の弁開度が一定である場合、制御弁４３として電磁弁を用いることが好ましい。しかしながら、制御弁４３は電磁弁に限定されるものではなく、切換の駆動は、電動モータや油圧等によって行われてもよい。なお、制御弁４３は、配管４２から噴射ノズル４１への空気の供給及び遮断の切り換えに加えて、空気供給時の弁開度を調節可能となっていてもよい。この場合には、気体供給部４０の空気の噴射量を調節することが可能となる。
【００３４】
図２及び図３には制御弁４３に電気的に接続された噴射制御部５０が示されている。制御弁４３は、噴射制御部５０によって制御される。噴射制御部５０には、流量計４４、回転速度検出部６０、及びウェブ速度検出部７０がさらに電気的に接続されている。回転速度検出部６０は、ロール本体３４の気流受け部３６が設けられない側の端部領域３５Ａ２の外周面に接触して回転する回転部材を有し、当該回転部材の回転に応じて回転速度を演算するようになっている。なお、回転速度検出部６０の構造は特に限定されるものでなく、例えば磁性体や発光体を利用して、非接触にロール本体３４の回転速度を演算するものでもよい。
【００３５】
またウェブ速度検出部７０は、巻き軸２２Ａ又は巻き軸２２Ｂによって巻取られるウェブＷの速度を検出する装置であり、一例として、巻き軸２２Ａ又は巻き軸２２Ｂを駆動する駆動モータの回転速度からウェブＷの速度を演算するようになっている。ウェブ速度検出部７０の構造についても、特に限定されるものでなく、接触式の検出構造が採用されもよいし、磁性体等を利用した非接触式の検出構造が採用されてもよい。
【００３６】
そして噴射制御部５０は、回転速度検出部６０が検出する回転速度に応じて、気体供給部４０の空気の噴射及び遮断を切り換える。詳しくは、本実施の形態における噴射制御部５０は、ウェブ速度検出部７０が検出するウェブＷの速度と、回転速度検出部６０が検出する回転速度とが一致するように、気体供給部４０の空気の噴射及び遮断を切り換えるようになっている。ここで本実施の形態では、気体供給部４０が空気の噴射する際の噴射量は一定であるため、流量計４４は、空気が噴射されている際には基本的に一定の噴射量を検出値として検出する。したがって、噴射制御部５０は、流量計４４の検出値を気体供給部４０の空気の噴射及び遮断の切り換えの制御のために用いないが、流量計４４の検出値が異常と判断される場合に警告を通知する等の処理を行ってもよい。
【００３７】
次に本実施の形態にかかるウェブ搬送装置１によるウェブ搬送方法の一例について図４を参照しつつ説明する。
【００３８】
まず、ガイドロール支持アーム３０に回転可能に支持されるガイドロール３２のロール本体３４の外周面に凸状の複数の気流受け部３６を設ける工程が行われる。
【００３９】
次いで、隣り合う軸支持アーム２０のうちの一方の軸支持アーム２０の巻き軸２２Ａを用いて、ウェブＷを巻取る工程が行われる。この際、本実施の形態では、まず、一方の軸支持アーム２０が巻取り位置Ｐ１に位置付けられ、ウェブＷの先端と接着剤等によって結合される。この状態で、一方の軸支持アーム２０の巻き軸２２Ａを回転させることにより、図４（Ａ）に示すように、巻き軸２２Ａに連続的にウェブＷが巻取られる。
【００４０】
次いで、回転軸１１の回転によって、ウェブＷを巻取り中の軸支持アーム２０とこれに隣り合う軸支持アーム２０との間のガイドロール支持アーム３０におけるガイドロール３２のロール本体３４に、ウェブＷを巻取り中の軸支持アーム２０の巻き軸２２Ａに向けて搬送されるウェブＷを接触させる工程が行われる。この工程は、巻き軸２２Ａに所定量以上のウェブＷが巻取られた場合に行われる。この際、本実施の形態では、まず、図４（Ａ）の矢印αに示すように、気流受け部３６に気体供給部４０から空気が噴射されてロール本体３４が回転され、これによりガイドロール３２に初期駆動が付与され、その後、図４（Ｂ）に示すように、ロール本体３４にウェブＷが接触される。気体供給部４０からの空気によってロール本体３４を回転させる際、ロール本体３４は、図４（Ｂ）の矢印βに示すように、接触するウェブＷの搬送方向に沿う方向に回転される。
【００４１】
上述のように、ウェブＷの搬送方向に沿う方向に回転されたロール本体３４を搬送中のウェブＷに接触させることで、ロール本体３４とウェブＷとの間の速度差を抑制でき、ウェブＷとガイドロール３２との間の摩擦が緩和され、ウェブＷに傷が生じることを抑制することが可能となり、且つ、回転軸１１がさらに回転された際のウェブＷと回転軸１１との接触を防止できる。ここで、ロール本体３４とウェブＷとを接触させる際に、ロール本体３４の回転速度がウェブＷに対して過剰に大きい或いは過剰に小さいことは望ましくない。本実施の形態では、気体供給部４０からの空気によってロール本体３４を回転させる際、まず、噴射制御部５０にウェブ速度検出部７０が検出したウェブＷの速度が入力され、噴射制御部５０が、ウェブ速度検出部７０が検出するウェブＷの速度と、回転速度検出部６０が検出する回転速度とが一致するように、気体供給部４０の空気の噴射及び遮断を切り換える。これにより、ウェブＷに傷が生じることを効果的に抑制できる。なお、ロール本体３４とウェブＷとの間の許容される速度差は、ウェブＷの材質や張力等によって異なる。
【００４２】
次いで、図４（Ｃ）及び（Ｄ）に示すように、上述のようにガイドロール３２にウェブＷを接触させた後の回転軸１１のさらなる回転によって、他方の軸支持アーム２０の巻き軸２２Ｂに、ウェブＷを巻取り中の一方の軸支持アーム２０の巻き軸２２Ａに向けて搬送されるウェブＷを接触させる工程が行われる。この際、ロール本体３４が搬送中のウェブＷに接触していることで、ウェブＷと回転軸１１との接触を防止できる。その後、他方の軸支持アーム２０の巻き軸２２ＢがウェブＷと結合され且つ一方の軸支持アーム２０の巻き軸２２ＡとウェブＷとの結合状態が例えば刃物によって切断されて解除されることにより、他方の軸支持アーム２０の巻き軸２２ＢによってウェブＷを巻取ることが可能となる。
【００４３】
以上に説明した本実施の形態によれば、ロール本体３４の外周面に凸状の気流受け部３６を設けるといった極めて簡易な構成で、ロール本体３４とウェブＷとの接触時に生じ得るウェブＷの傷を抑制できる。これにより、ウェブＷの巻取りのための巻き軸２２Ａ又は巻き軸２２Ｂの切り換えの際、すなわち例えば一方の巻き軸２２Ａから他方の巻き軸２２ＢへのウェブＷの巻取りの切り換えの際にロール本体３４がウェブＷに接触することで生じ得るウェブＷの傷を極めて容易に抑制することができる。特に、ガイドロールがフリーロールである導入済みのウェブ搬送装置においてガイドロールを本実施の形態のようなガイドロール３２に切り換える場合には、ロール本体３４を大幅に変更することなく気流受け部３６を追加するのみで、切り換えを実現できるため、作業及びコストが大きい負担とならない。そのため、ロール本体３４とウェブＷとの接触時に生じ得るウェブ傷の防止機能を極めて有益に追加することができる。
【００４４】
また本実施の形態にかかるウェブ搬送装置１は、ロール本体３４の回転速度を検出する回転速度検出部６０と、回転速度検出部６０が検出する回転速度に応じて、気体供給部４０の空気の噴射及び遮断を切り換える噴射制御部５０と、を備えることで、ロール本体３４の回転速度を所望の回転速度に調節することが可能となる。特に、ウェブ搬送装置１は、巻き軸２２Ａ又は巻き軸２２Ｂによって巻取られるウェブＷの速度を検出するウェブ速度検出部７０をさらに備え、噴射制御部５０が、ウェブ速度検出部７０が検出するウェブＷの速度と、回転速度検出部６０が検出する回転速度とが一致するように、気体供給部４０の気体の噴射及び遮断を切り換えることにより、ロール本体３４とウェブＷとの間の速度差を可及的に小さくすることができ、ウェブＷに傷が生じることを効果的に抑制できる。
【００４５】
（第２の実施の形態）
次に、本発明の第２の実施の形態について図５を参照しつつ説明する。本実施の形態における構成部分のうちの第１の実施の形態の構成部分と同様のものについては、同一の符号を付して、説明を省略する。以下では、第１の実施の形態との相違点を説明する。
【００４６】
図５に示すように、本実施の形態にかかるウェブ搬送装置では、一対の端部領域３５Ａ２のうちの一方の端部領域３５Ａ２に、第１の実施の形態と同様の気流受け部３６が設けられ、他方の端部領域３５Ａ２にも、気流受け部３６が設けられている。また、他方の端部領域３５Ａ２に設けられた気流受け部３６に対して空気を噴射する気体供給部４０もさらに設けられている。以下では、説明の便宜のために、一方の端部領域３５Ａ２に設けられた気流受け部３６を第１気流受け部３６１と呼び、第１気流受け部３６１に空気を噴射する気体供給部４０を第１気体供給部４０１と呼ぶ。他方の端部領域３５Ａ２に設けられた気流受け部３６を第２気流受け部３６２と呼び、第２気流受け部３６２に空気を噴射する気体供給部４０を第２気体供給部４０２と呼ぶ。
【００４７】
本実施の形態においても、ガイドロール３２の気流受け部３６１，３６２に空気を噴射する際には、図１に示すように、ガイドロール３２が回転軸１１の上方に位置付けられる。本実施の形態では、この状態で、第１気体供給部４０１が第１気流受け部３６１に空気を噴射すると、図５に示すように、ガイドロール３２のロール本体３４が、周方向の一方側である矢印Ｃ１の方向に回転するようになっている。これに対し、第２気体供給部４０２が第２気流受け部３６２に空気を噴射すると、ガイドロール３２のロール本体３４が、周方向の他方側である矢印Ｃ２の方向に回転するようになっている。この場合、気体供給部４０１，４０２の一方によってロール本体３４を回転させたときに、気体供給部４０１，４０２の他方を、ロール本体３４の回転を抑制するブレーキとして機能させることができる。
【００４８】
このような第２の実施の形態によれば、気体供給部４０１，４０２の一方によってロール本体３４を回転させたときに、気体供給部４０１，４０２の他方を、ロール本体３４の回転を抑制するブレーキとして機能させることができることで、ガイドロール３２のロール本体３４を所望の回転速度に調節する際の精度を向上できる。またウェブ搬送装置が巻取り及び巻出しの両方を行うことが可能な構成である場合に、気体供給部４０１，４０２の動作を適宜切り換えることにより、巻取り及び巻出しの両方の動作における巻き軸２２Ａ又は巻き軸２２Ｂの切り換え時に生じ得るウェブの傷を抑制できる。
【００４９】
（第３の実施の形態）
次に、本発明の第３の実施の形態について図６を参照しつつ説明する。本実施の形態における構成部分のうちの第１の実施の形態の構成部分と同様のものについては、同一の符号を付して、説明を省略する。以下では、第１の実施の形態との相違点を説明する。
【００５０】
図６に示すように、本実施の形態における気流受け部３６は、ロール本体３４の軸方向に見た場合に、ロール本体３４の外周面からロール本体３４の径方向の外側に延びる従い、ロール本体３４の周方向の一方側に延びている。周方向の一方側は、ロール本体３４が気体供給部４０からの空気によって回転する回転方向とは反対の方向となっている。この第３の実施の形態によれば、気流受け部３６がロール本体３４の径方向に沿って延びる場合に比較して、ロール本体３４の回転時に気流受け部３６が受ける抵抗を抑制でき、且つ気体供給部４０からの空気を受ける気流受け部３６の面積を効率的に確保できる。これにより、ロール本体３４を回転させ易くすることができる。
【００５１】
（第４の実施の形態）
次に、本発明の第４の実施の形態について図２及び図３を参照しつつ説明する。本実施の形態にかかるウェブ搬送装置では、図２及び図３に示すような気体供給部４０、噴射制御部５０等を備えるが、気体供給部４０における制御弁４３の機能、及び、噴射制御部５０の制御態様が、第１の実施の形態と異なっている。
【００５２】
詳しくは、制御弁４３が、空気供給時の弁開度を調節可能となっている。これに対応して、噴射制御部５０は、制御弁４３を制御することにより、気体供給部４０の空気の噴射量を調節することが可能となっている。そして噴射制御部５０は、回転速度検出部６０が検出する回転速度に応じて、気体供給部４０の空気の噴射量を調節する。より詳しくは、噴射制御部５０は、ウェブ速度検出部７０が検出するウェブＷの速度と、回転速度検出部６０が検出する回転速度とが一致するように、気体供給部４０の空気の噴射量を調節するようになっている。この第４の実施の形態によっても、ロール本体３４とウェブＷとの間の速度差を可及的に小さくすることができ、ウェブＷに傷が生じることを効果的に抑制できる。
【００５３】
以上、本発明の各実施の形態を説明したが、本発明は、上述の実施の形態に限定されることなく種々の変更を加えることが可能である。
【００５４】
例えば、上述の各実施の形態では、ウェブ搬送装置が、巻き軸２２Ａ又は巻き軸２２ＢによってウェブＷを巻取る構成を説明したが、ウェブ搬送装置は、巻き軸２２Ａ又は巻き軸２２Ｂによってロール状に巻回された巻出し用のウェブＷを保持して、ウェブＷを連続的に巻出すように構成されていてもよい。この場合、例えば、ウェブ速度検出部７０は、巻き軸２２Ａ又は巻き軸２２Ｂに保持されたロール状の巻出し用のウェブから巻出されるウェブの速度を検出する。またロール本体３４の回転態様についても、第１の実施の形態の態様から変更する必要がある。
【００５５】
また上述の各実施の形態では、軸支持アーム２０が二つ設けられ且つガイドロール支持アーム３０が二つ設けられていたが、このような数は特に限定されるものではない。例えば、軸支持アーム２０が二つ設けられ、ガイドロール支持アーム３０が一つのみ設けられてもよい。また、軸支持アーム２０が三つ設けられ、ガイドロール支持アーム３０が三つ設けられてもよい。
【００５６】
また上述の各実施の形態では、気流受け部３６がロール本体３４に対し凸状となるが、気流受け部３６は、ロール本体３４の外周面に設けられる凹状の部分であってもよい。凹状の気流受け部３６も、ロール本体３４の周方向に間隔をあけて並ぶように形成されることが好ましい。
【符号の説明】
【００５７】
１…ウェブ搬送装置
１０…支柱
１１…回転軸
２０…軸支持アーム
２２，２２Ａ，２２Ｂ…巻き軸
３０…ガイドロール支持アーム
３２…ガイドロール
３４…ロール本体
３５Ａ…メインロール部
３５Ａ１…接触領域
３５Ａ２…端部領域
３５Ｂ…軸部
３６…気流受け部
３６１…第１気流受け部
３６２…第２気流受け部
４０…気体供給部
４０１…第１気体供給部
４０２…第２気体供給部
４１…噴射ノズル
４２…配管
４３…制御弁
４４…流量計
５０…噴射制御部
６０…回転速度検出部
７０…ウェブ速度検出部
【図１】
2017193402.tif 000003
【図２】
2017193402.tif 000004
【図３】
2017193402.tif 000005
【図４】
2017193402.tif 000006
【図５】
2017193402.tif 000007
【図６】
2017193402.tif 000008